(57)【要約】【課題】電極の膨張による絶縁シートの破れを抑制できる蓄電装置を提供する。【解決手段】二次電池は、正極電極２０及び正極電極２０よりも大きい外形の負極電極２１を積層した電極組立体１２と、電極組立体１２を覆う絶縁フィルムとを備える。負極電極２１は、矩形シート状の負極金属箔２５の両面に存在する負極活物質層２６と、負極金属箔２５の一辺に沿う第１縁部２１ａから突出する形状の負極タブ２７とを有する。負極電極２１は、第１縁部２１ａの対辺である第２縁部２１ｂと、第１縁部２１ａと第２縁部２１ｂの一端を繋ぐ第３縁部２１ｃと、第３縁部２１ｃの対辺である第４縁部２１ｄとを備える。負極電極２１は、第２〜第４縁部２１ｂ〜２１ｄに沿って負極活物質層２６が存在せず負極金属箔２５が露出した未塗工部２８を有する。負極活物質層２６と未塗工部２８との境界部２９は、第２〜第４縁部２１ｂ〜２１ｄと平行に存在する。【選択図】図３
2018170243.tif 000002
【特許請求の範囲】
【請求項１】
第１の電極と、前記第１の電極と異なる極性であるとともに前記第１の電極の外形よりも大きい外形の第２の電極とを互いに絶縁した状態で積層した電極組立体と、
前記電極組立体を覆う絶縁シートと、
を備え、
前記第１の電極及び前記第２の電極は、矩形シート状の集電体と、該集電体の片面又は両面に存在する活物質層と、前記集電体の一辺に沿う第１縁部から突出する形状のタブと、を有するとともに、前記第１縁部の対辺である第２縁部と、前記第１縁部と前記第２縁部の一端を繋ぐ第３縁部と、前記第３縁部の対辺である第４縁部とを備え、
前記第２の電極の面に沿う方向を面方向としたとき、積層方向から前記電極組立体を見て、前記第１の電極は、前記第２の電極の第１〜第４縁部よりも前記面方向の内側に位置している蓄電装置であって、
前記第２の電極は、前記第２〜第４縁部に沿って前記活物質層が存在せず前記集電体が露出した未塗工部を有し、前記活物質層と前記未塗工部との境界部は、前記第２〜第４縁部と平行に存在することを特徴とする蓄電装置。
【請求項２】
前記面方向は、前記第１縁部及び前記第２縁部と直交する第１方向と、前記第３縁部及び前記第４縁部と直交する第２方向とを有し、
前記第２縁部に沿って存在する未塗工部の第１方向に沿う寸法、及び前記第３縁部及び前記第４縁部に沿って存在する未塗工部の第２方向に沿う寸法は、それぞれ、前記第２の電極の前記集電体及び前記活物質層の厚さ方向の寸法よりも大きい請求項１に記載の蓄電装置。
【請求項３】
前記第２の電極は、負極電極である請求項１又は請求項２に記載の蓄電装置。
【請求項４】
前記負極電極の活物質層は、ケイ素を含む請求項３に記載の蓄電装置。
【発明の詳細な説明】
【技術分野】
【０００１】
本発明は、電極組立体及び電極組立体を覆う絶縁シートを備える蓄電装置に関する。
【背景技術】
【０００２】
ＥＶ（Electric Vehicle）やＰＨＶ（Plug-in Hybrid Vehicle）などの車両には、走行用モータへの供給電力を蓄える蓄電装置としての二次電池が搭載されている。二次電池は、シート状の正極電極及び負極電極が積層された電極組立体と、当該電極組立体を収容する有底筒状のケースとを備えている。また、電極組立体を袋状に形成された絶縁シートによって覆うことで、電極組立体とケースとを絶縁させている（特許文献１参照）。
【先行技術文献】
【特許文献】
【０００３】
【特許文献１】特開２０１４−３８７３６号公報
【発明の概要】
【発明が解決しようとする課題】
【０００４】
ところで、二次電池の充放電時、正極電極及び負極電極は、面に沿う方向（面方向）の外側へ膨張したり内側へ収縮したりする。このため、絶縁シートは、面方向の外側へ膨張した電極の縁部によってケース側へ押圧される。そして、電極の膨張量が大きくなると、絶縁シートは電極の縁部によって突き破られるおそれがある。絶縁シートが破れると、電極組立体とケースが短絡してしまう。
【０００５】
本発明は、上記課題を解決するためになされたものであり、その目的は、電極の膨張による絶縁シートの破れを抑制できる蓄電装置を提供することにある。
【課題を解決するための手段】
【０００６】
上記問題点を解決するための蓄電装置は、第１の電極と、前記第１の電極と異なる極性であるとともに前記第１の電極の外形よりも大きい外形の第２の電極とを互いに絶縁した状態で積層した電極組立体と、前記電極組立体を覆う絶縁シートと、を備え、前記第１の電極及び前記第２の電極は、矩形シート状の集電体と、該集電体の片面又は両面に存在する活物質層と、前記集電体の一辺に沿う第１縁部から突出する形状のタブと、を有するとともに、前記第１縁部の対辺である第２縁部と、前記第１縁部と前記第２縁部の一端を繋ぐ第３縁部と、前記第３縁部の対辺である第４縁部とを備え、前記第２の電極の面に沿う方向を面方向としたとき、積層方向から前記電極組立体を見て、前記第１の電極は、前記第２の電極の第１〜第４縁部よりも前記面方向の内側に位置している蓄電装置であって、前記第２の電極は、前記第２〜第４縁部に沿って前記活物質層が存在せず前記集電体が露出した未塗工部を有し、前記活物質層と前記未塗工部との境界部は、前記第２〜第４縁部と平行に存在することを要旨とする。
【０００７】
蓄電装置を充放電させると、第１の電極及び第２の電極は、面方向外側に膨張したり面方向内側に収縮したりする。面方向外側へ膨張する第２の電極の縁部は、絶縁シートをケース側に押圧する。しかしながら、第２〜第４縁部に沿って金属箔が露出した未塗工部が存在するため、活物質層が存在する他の部分と比べて剛性が低い。よって、第２の電極において第２〜第４縁部に沿う部分は折れ曲がり、絶縁シートを突き破ることが抑制される。また、境界部が第２〜第４縁部と平行に存在することで、第２〜第４縁部に沿う部分の膨張量は縁部全体でほぼ同じになる。つまり、絶縁シートは、縁部全体によって押圧されるため、縁部の一部によって押圧される場合と比べて、絶縁シートにかかる荷重を分散できる。その結果、電極の膨張による絶縁シートの破れを抑制できる。
【０００８】
また、上記蓄電装置について、前記面方向は、前記第１縁部及び前記第２縁部と直交する第１方向と、前記第３縁部及び前記第４縁部と直交する第２方向とを有し、前記第２縁部に沿って存在する未塗工部の第１方向に沿う寸法、及び前記第３縁部及び前記第４縁部に沿って存在する未塗工部の第２方向に沿う寸法は、それぞれ、前記第２の電極の前記集電体及び前記活物質層の厚さ方向の寸法よりも大きいのが好ましい。
【０００９】
これによれば、折れ曲がった未塗工部は、境界部、すなわち第２の電極の活物質層の縁部を厚さ方向に覆った状態となる。このため、折れ曲がった未塗工部により、第２の電極の活物質層を絶縁シートに接触させないようにでき、電極の膨張による絶縁シートの破れをより抑制できる。
【００１０】
また、上記蓄電装置について、前記第２の電極は、負極電極であるのが好ましい。
一般に負極電極の外形の方が正極電極の外形よりも大きく設定されるため、負極電極の第２〜第４縁部の方が正極電極の第２〜第４縁部よりも絶縁シートに接触しやすい。このため、負極電極の第２〜第４縁部に沿って未塗工部を設けることで、負極電極の膨張による絶縁シートの破れを抑制できる。
【００１１】
また、上記蓄電装置について、前記負極電極の活物質層は、ケイ素を含むのが好ましい。
ケイ素を含む活物質層の膨張率は、ケイ素を含まない活物質層の膨張率よりも大きいため、電極の膨張による絶縁シートの破れが発生しやすい。このため、活物質層にケイ素を含む電極の第２〜第４縁部に沿って未塗工部を設けることで、電極の膨張による絶縁シートの破れを抑制できる。
【発明の効果】
【００１２】
本発明によれば、電極の膨張による絶縁シートの破れを抑制できる。
【図面の簡単な説明】
【００１３】
【図１】実施形態の二次電池の分解斜視図。
【図２】電極組立体の分解斜視図。
【図３】電極組立体の平面図。
【図４】（ａ），（ｂ）は実施形態の二次電池の作用を説明するための拡大断面図。
【発明を実施するための形態】
【００１４】
以下、蓄電装置を二次電池に具体化した一実施形態を図１〜図４にしたがって説明する。
図１に示すように、蓄電装置としての二次電池１０は、ケース１１を備える。二次電池１０は、ケース１１に収容された電極組立体１２を備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１５】
ケース本体１３は、底壁１３ｂと、底壁１３ｂに繋がる第１〜第４壁部１３ｃ〜１３ｆとを備える。ケース本体１３は、底壁１３ｂの一対の長縁部に繋がる壁部のうちの一方の壁部に第１壁部１３ｃを備え、第１壁部１３ｃと対面する他方の壁部に第２壁部１３ｄを備える。また、ケース本体１３は、第１壁部１３ｃと第２壁部１３ｄとを繋ぎ、底壁１３ｂの一対の短縁部に繋がる壁部のうちの一方の壁部に第３壁部１３ｅを備え、第３壁部１３ｅと対面する他方の壁部に第４壁部１３ｆを備える。
【００１６】
二次電池１０は、電極組立体１２から電気を取り出すための正極端子１５と負極端子１６を備える。正極端子１５と負極端子１６は、蓋１４に所定の間隔をあけて並設された一対の孔１４ａからケース１１の外部に露出される。また、正極端子１５及び負極端子１６には、ケース１１から絶縁するためのリング状の絶縁リング１７ａがそれぞれ取り付けられている。
【００１７】
図２及び図４（ａ）に示すように、電極組立体１２は、第１の電極としての正極電極２０と、第２の電極としての負極電極２１と、セパレータ３０とを複数備える。電極組立体１２は、正極電極２０と負極電極２１との間にセパレータ３０を介在させ、かつ相互に絶縁させた状態で積層した構造を備える。
【００１８】
正極電極２０は、矩形シート状の集電体としての正極金属箔（例えばアルミニウム箔）２２と、正極金属箔２２の両面に存在する正極活物質層２３とを有する。正極金属箔２２は、正極電極２０の外形を構成する。正極活物質層２３は、活物質、導電助剤、溶媒及びバインダを混合した活物質ペーストを正極金属箔２２に塗布した後、乾燥させることで形成される。正極電極２０は、一対の長辺に沿う縁部のうちの一方の縁部に第１縁部２０ａを備える。正極電極２０は、第１縁部２０ａの一部から突出した形状のタブとしての正極タブ２４を有する。正極タブ２４は、正極活物質層２３が存在せず、正極金属箔２２そのもので構成されている。
【００１９】
また、正極電極２０は、一対の長辺に沿う縁部のうちの第１縁部２０ａの対辺となる他方の縁部に第２縁部２０ｂを備える。さらに、正極電極２０は、第１縁部２０ａと第２縁部２０ｂ同士を繋ぐ一対の短辺に沿う縁部のうちの一方の縁部に第３縁部２０ｃを備え、第３縁部２０ｃの対辺となる他方の縁部に第４縁部２０ｄを備える。正極活物質層２３の縁部は、正極電極２０の第１〜第４縁部２０ａ〜２０ｄと一致する。つまり、正極活物質層２３は、正極タブ２４を除く正極金属箔２２全体を覆っている。
【００２０】
負極電極２１は、矩形シート状の集電体としての負極金属箔（例えば銅箔）２５と、負極金属箔２５の両面に存在する負極活物質層２６とを有する。負極金属箔２５は、負極電極２１の外形を構成する。負極活物質層２６は、活物質、導電助剤、溶媒及びバインダを混合した活物質ペーストを負極金属箔２５に塗布した後、乾燥させることで形成される。本実施形態の活物質はシリコンであり、負極活物質層２６はケイ素を含む。活物質にシリコン（ケイ素）を用いることで、例えばカーボンを用いる場合と比較して、二次電池１０の容量を増大させることができる。一方で、ケイ素を含む負極活物質層２６は、二次電池１０の充放電時に膨張収縮しやすい。負極電極２１は、一対の長辺に沿う縁部のうちの一方の縁部に第１縁部２１ａを備える。負極電極２１は、第１縁部２１ａの一部から突出した形状のタブとしての負極タブ２７を有する。負極タブ２７は、負極活物質層２６が存在せず、負極金属箔２５そのもので構成されている。
【００２１】
また、負極電極２１は、一対の長辺に沿う縁部のうちの第１縁部２１ａの対辺となる他方の縁部に他の縁部としての第２縁部２１ｂを備える。さらに、負極電極２１は、第１縁部２１ａと第２縁部２１ｂ同士を繋ぐ一対の短辺に沿う縁部のうちの一方の縁部に他の縁部としての第３縁部２１ｃを備え、第３縁部２１ｃの対辺となる他方の縁部に他の縁部としての第４縁部２１ｄを備える。
【００２２】
負極電極２１の第１縁部２１ａの長さは、正極電極２０の第１縁部２０ａの長さより長く、負極電極２１の第２縁部２１ｂの長さは、正極電極２０の第２縁部２０ｂの長さより長い。さらに、負極電極２１の第３縁部２１ｃの長さは、正極電極２０の第３縁部２０ｃの長さより長く、負極電極２１の第４縁部２１ｄの長さは、正極電極２０の第４縁部２０ｄの長さより長い。よって、負極電極２１の外形は、正極電極２０の外形より一回り大きい。なお、セパレータ３０の外形は、負極電極２１の外形と同じ大きさである。
【００２３】
以下、負極電極２１の面と直交する方向を厚さ方向Ｘとし、負極電極２１の面に沿う方向を面方向Ｙとする。面方向Ｙは、第１及び第２縁部２１ａ，２１ｂと直交する第１方向Ｙ１と、第３及び第４縁部２１ｃ，２１ｄと直交する第２方向Ｙ２とを有する。
【００２４】
図３に示すように、負極電極２１は、第２〜第４縁部２１ｂ〜２１ｄに沿って負極金属箔２５の露出した未塗工部２８を備える。未塗工部２８は、負極金属箔２５において負極活物質層２６が存在せず、負極金属箔２５そのもので構成された部分である。第２縁部２１ｂに沿って存在する未塗工部２８を第１未塗工部２８ａとし、第３縁部２１ｃに沿って存在する未塗工部２８を第２未塗工部２８ｂとし、第４縁部２１ｄに沿って存在する未塗工部２８を第３未塗工部２８ｃとする。なお、第１縁部２１ａの第２方向Ｙ２の一端部には第２未塗工部２８ｂの一部が存在し、他端部には第３未塗工部２８ｃの一部が存在し、中央部には負極活物質層２６が存在する。
【００２５】
負極電極２１は、負極活物質層２６と未塗工部２８との境界部２９を備える。負極活物質層２６の縁部は境界部２９と一致する。負極活物質層２６と第１未塗工部２８ａとの境界部２９を第１境界部２９ａとする。第１境界部２９ａは、第２縁部２１ｂと平行に存在する。よって、第１未塗工部２８ａの第１方向Ｙ１に沿う寸法Ａ１は、第２方向Ｙ２に沿う第１未塗工部２８ａ全体で同じである。負極活物質層２６と第２未塗工部２８ｂとの境界部２９を第２境界部２９ｂとする。第２境界部２９ｂは、第３縁部２１ｃと平行に存在する。よって、第２未塗工部２８ｂの第２方向Ｙ２に沿う寸法Ａ２は、第１方向Ｙ１に沿う第２未塗工部２８ｂ全体で同じである。負極活物質層２６と第３未塗工部２８ｃとの境界部２９を第３境界部２９ｃとする。第３境界部２９ｃは、第４縁部２１ｄと平行に存在する。よって、第３未塗工部２８ｃの第２方向Ｙ２に沿う寸法Ａ３は、第１方向Ｙ１に沿う第３未塗工部２８ｃ全体で同じである。本実施形態では、第１〜第３未塗工部２８ａ〜２８ｃの寸法Ａ１〜Ａ３は同じ寸法に設定されている。第１〜第３未塗工部２８ａ〜２８ｃの寸法Ａ１〜Ａ３は、負極金属箔２５及び負極金属箔２５の両面に存在する負極活物質層２６の厚さ方向Ｘの寸法Ｂ（図４（ａ）参照）、すなわち負極電極２１の厚みよりも大きい。
【００２６】
図１に示すように、各正極電極２０は、それぞれの正極タブ２４が電極組立体１２の積層方向に沿って列状に配置されるように積層される。同様に、各負極電極２１は、それぞれの負極タブ２７が、正極タブ２４と重ならないように電極組立体１２の積層方向に沿って列状に配置されるように積層される。そして、各正極タブ２４は、電極組立体１２における積層方向の一端から他端までの範囲に集められて正極タブ群２４ａとされる。正極タブ群２４ａには、正極端子１５が電気的に接合される。また、各負極タブ２７も同様に、電極組立体１２における積層方向の一端から他端までの範囲に集められて負極タブ群２７ａとされる。負極タブ群２７ａには、負極端子１６が電気的に接続される。
【００２７】
電極組立体１２は、蓋１４に対向した端面にタブ側端面１２ａを備え、ケース本体１３の底壁１３ｂの内面に対向した端面に底側端面１２ｂを備える。タブ側端面１２ａは、負極電極２１の第１縁部２１ａが積層されて構成されている。底側端面１２ｂは、負極電極２１の第２縁部２１ｂ（第１未塗工部２８ａ）が積層されて構成されている。また、電極組立体１２は、ケース本体１３の第１壁部１３ｃの内面に対向した端面に第１側面１２ｃを備え、ケース本体１３の第２壁部１３ｄの内面に対向した端面に第２側面１２ｄを備える。電極組立体１２は、ケース本体１３の第３壁部１３ｅの内面に対向した端面に第３側面１２ｅを備え、ケース本体１３の第４壁部１３ｆの内面に対向した端面に第４側面１２ｆを備える。第３側面１２ｅは、負極電極２１の第３縁部２１ｃ（第２未塗工部２８ｂ）が積層されて構成され、第４側面１２ｆは、負極電極２１の第４縁部２１ｄ（第３未塗工部２８ｃ）が積層されて構成されている。
【００２８】
図３に示すように、電極組立体１２を積層方向から見たとき、正極電極２０の第１縁部２０ａは、第１方向Ｙ１において負極電極２１の第１縁部２１ａよりも内側に位置し、正極電極２０の第２縁部２０ｂは、第１方向Ｙ１において負極電極２１の第２縁部２１ｂよりも内側に位置する。また、正極電極２０の第３縁部２０ｃは、第２方向Ｙ２において負極電極２１の第３縁部２１ｃよりも内側に位置し、正極電極２０の第４縁部２０ｄは、第２方向Ｙ２において負極電極２１の第４縁部２１ｄよりも内側に位置する。
【００２９】
このような電極組立体１２は、絶縁シートとしての絶縁フィルム４０で覆われている。絶縁フィルム４０は、電極組立体１２を金属製のケース１１と絶縁するための絶縁性シートであり、例えば、ポリプロピレン（ＰＰ）製である。絶縁フィルム４０は、１枚の絶縁フィルム４０を折り畳み、かつ溶着して袋状に形成されている。絶縁フィルム４０は、電極組立体１２のタブ側端面１２ａを除く５面（底側端面１２ｂ及び第１〜第４側面１２ｃ〜１２ｆ）を覆っている。負極電極２１の第２〜第４縁部２１ｂ〜２１ｄ及びセパレータ３０の縁部は、絶縁フィルム４０と当接している。
【００３０】
次に、本実施形態の作用について説明する。
二次電池１０の充放電を行うと、正極電極２０の正極活物質層２３及び負極電極２１の負極活物質層２６は、面方向Ｙ外側に膨張したり、面方向Ｙ内側に収縮したりする。なお、正極活物質層２３及び負極活物質層２６は厚さ方向Ｘにも膨張収縮しようとするが、一般に二次電池１０の充放電は、図示しない拘束治具によって電極組立体１２を厚さ方向Ｘに拘束した状態で行われるため、厚さ方向Ｘ外側への膨張量及び厚さ方向Ｘ内側への収縮量は十分小さい。正極活物質層２３及び負極活物質層２６の膨張に伴い、正極電極２０の正極金属箔２２及び負極電極２１の負極金属箔２５も面方向Ｙ外側に膨張する。負極電極２１の第１縁部２１ａ及び第２縁部２１ｂは、第１方向Ｙ１外側へ膨張し、第３縁部２１ｃ及び第４縁部２１ｄは、第２方向Ｙ２外側へ膨張する。
【００３１】
これにより、負極電極２１の第２〜第４縁部２１ｂ〜２１ｄは、絶縁フィルム４０をケース本体１３側へ押圧する。しかしながら、第２〜第４縁部２１ｂ〜２１ｄに沿って負極金属箔２５が露出した第１〜第３未塗工部２８ａ〜２８ｃが存在するため、負極活物質層２６が存在する他の部分と比べて剛性が低い。よって、第２〜第４縁部２１ｂ〜２１ｄに沿う部分は、図４（ｂ）に示すように折れ曲がる。折れ曲がった部分は、第１〜第３境界部２９ａ〜２９ｃ、すなわち負極活物質層２６の縁部を厚さ方向Ｘに覆った状態となる。
【００３２】
また、第１未塗工部２８ａの第１方向Ｙ１に沿う寸法Ａ１は、第２方向Ｙ２に沿う第２縁部２１ｂ全体で同じである。このため、第２縁部２１ｂに沿う部分の第１方向Ｙ１外側への膨張量は、第２方向Ｙ２に沿う第２縁部２１ｂ全体でほぼ同じになる。同様に、第２及び第３未塗工部２８ｂ，２８ｃの第２方向Ｙ２に沿う寸法Ａ２，Ａ３は、第１方向Ｙ１に沿う第３及び第４縁部２１ｃ，２１ｄ全体で同じである。このため、第３縁部２１ｃに沿う部分の第２方向Ｙ２外側への膨張量は、第１方向Ｙ１に沿う第３縁部２１ｃ全体でほぼ同じになる。また、第４縁部２１ｄに沿う部分の第２方向Ｙ２外側への膨張量は、第１方向Ｙ１に沿う第４縁部２１ｄ全体でほぼ同じになる。よって、絶縁フィルム４０は、第２〜第４縁部２１ｂ〜２１ｄ全体によってケース本体１３側に押圧されるため、第２〜第４縁部２１ｂ〜２１ｄの一部によって押圧される場合と比べて、絶縁フィルム４０にかかる荷重が分散される。
【００３３】
次に、本実施形態の効果を記載する。
（１）二次電池１０の充放電を行うと、正極電極２０及び負極電極２１は、面方向外側へ膨張したり面方向内側へ収縮したりする。第１方向Ｙ１外側へ膨張する負極電極２１の第２縁部２１ｂと第２方向Ｙ２外側へ膨張する負極電極２１の第３及び第４縁部２１ｃ，２１ｄは、絶縁フィルム４０を押圧する。しかしながら、第２〜第４縁部２１ｂ〜２１ｄに沿って負極金属箔２５が露出した第１〜第３未塗工部２８ａ〜２８ｃが存在するため、負極活物質層２６が存在する他の部分と比べて剛性が低い。よって、負極電極２１において第２〜第４縁部２１ｂ〜２１ｄに沿う部分は折れ曲がる。
【００３４】
また、第１〜第３境界部２９ａ〜２９ｃは、第２〜第４縁部２１ｂ〜２１ｄと平行に存在する。このため、第２縁部２１ｂに沿う部分の第１方向Ｙ１外側への膨張量は、第２方向Ｙ２に沿う第２縁部２１ｂ全体でほぼ同じになり、第３及び第４縁部２１ｃ，２１ｄに沿う部分の第２方向Ｙ２外側への膨張量は、第１方向Ｙ１に沿う第３及び第４縁部２１ｃ，２１ｄ全体でほぼ同じになる。よって、絶縁フィルム４０は、第２〜第４縁部２１ｂ〜２１ｄ全体によって押圧されるため、第２〜第４縁部２１ｂ〜２１ｄの一部によって押圧される場合と比べて、絶縁フィルム４０にかかる荷重を分散できる。その結果、負極電極２１の膨張による絶縁フィルム４０の破れを抑制できる。
【００３５】
（２）第１未塗工部２８ａの第１方向Ｙ１に沿う寸法Ａ１は、負極電極２１（負極金属箔２５及び負極金属箔２５の両面に存在する負極活物質層２６）の厚さ方向Ｘの寸法Ｂよりも大きい。また、第２及び第３未塗工部２８ｂ，２８ｃの第２方向Ｙ２に沿う寸法Ａ２，Ａ３は、負極電極２１（負極金属箔２５及び負極金属箔２５の両面に存在する負極活物質層２６）の厚さ方向Ｘの寸法Ｂよりも大きい。このため、折れ曲がった第１〜第３未塗工部２８ａ〜２８ｃは、第１〜第３境界部２９ａ〜２９ｃ、すなわち負極活物質層２６の縁部を厚さ方向Ｘに覆った状態となる。よって、折れ曲がった第１〜第３未塗工部２８ａ〜２８ｃにより、負極活物質層２６を絶縁フィルム４０に接触させないようにでき、負極電極２１の膨張による絶縁フィルム４０の破れをより抑制できる。
【００３６】
（３）負極電極２１の負極活物質層２６はケイ素を含む。ケイ素を含む負極活物質層２６の膨張率は、ケイ素を含まない負極活物質層の膨張率よりも大きいため、負極電極２１の膨張による絶縁フィルム４０の破れが発生しやすい。このため、負極活物質層２６にケイ素を含む負極電極２１の第２〜第４縁部２１ｂ〜２１ｄに沿って未塗工部２８を設けることで、負極電極２１の膨張による絶縁フィルム４０の破れを抑制できる。
【００３７】
なお、上記実施形態は、以下のように変更してもよい。
○  集電体は、正極活物質層２３や負極活物質層２６が形成できるものであれば、正極金属箔２２や負極金属箔２５に限定されるものではない。例えば、織物状や網状のシートを用いてもよい。
【００３８】
○  正極電極２０は、正極金属箔２２の片面に正極活物質層２３が存在する構造でもよい。同様に、負極電極２１は、負極金属箔２５の片面に負極活物質層２６が存在する構成でもよい。
【００３９】
○  正極電極２０は、正極タブ２４以外に正極活物質層２３が存在しない部分を備えていてもよい。
○  負極電極２１は、負極タブ２７及び未塗工部２８以外に負極活物質層２６が存在しない部分を備えていてもよい。例えば、負極電極２１は、第１縁部２１ａに沿って未塗工部２８を備えていてもよい。
【００４０】
○  第１の電極を負極電極２１とし、第２の電極を正極電極２０としてもよい。この場合、正極電極２０の第２〜第４縁部２０ｂ〜２０ｄに沿って正極活物質層２３が存在せず正極金属箔２２の露出した未塗工部を設ける。
【００４１】
○  第１未塗工部２８ａの第１方向Ｙ１に沿う寸法Ａ１は、負極電極２１（負極金属箔２５及び負極金属箔２５の両面に存在する負極活物質層２６）の厚さ方向Ｘの寸法Ｂより小さくてもよいし、同じでもよい。同様に、第２及び第３未塗工部２８ｂ，２８ｃの第２方向Ｙ２に沿う寸法Ａ２，Ａ３は、負極電極２１（負極金属箔２５及び負極金属箔２５の両面に存在する負極活物質層２６）の厚さ方向Ｘの寸法Ｂより小さくてもよいし、同じでもよい。
【００４２】
○  負極活物質層２６の活物質は、カーボンでもよく、シリコンとカーボンの両方を含んでもよい。活物質に用いる材料の種類や割合は、二次電池１０の容量に応じて変更してよい。
【００４３】
○  絶縁シートの種類は、絶縁フィルム４０に限定されず、ラミネートシートであってもよい。
○  絶縁フィルム４０の材料は、ポリプロピレン（ＰＰ）に限定されず、ポリフェニレンサルファイド（ＰＰＳ）など他の材料でもよい。
【００４４】
○  複数枚の絶縁フィルム４０によって電極組立体１２を覆う構成としてもよい。
○  絶縁フィルム４０を袋状に形成する方法は、溶着に限定されない。例えば、絶縁フィルム４０によって電極組立体１２を覆った後、電極組立体１２からはみ出した部分を、電極組立体１２を覆っている部分に重ねてテープで貼り付けてもよい。また、他の方法として、電極組立体１２より一回り大きい袋状の絶縁フィルム４０の中に電極組立体１２を収納し、その後で絶縁フィルム４０を熱収縮させることで電極組立体１２と絶縁フィルム４０とを密着させてもよい。
【００４５】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００４６】
○  蓄電装置は、例えばキャパシタなど、二次電池以外の蓄電装置にも適用可能である。
次に、上記実施形態及び別例から把握できる技術的思想を以下に追記する。
【００４７】
（イ）蓄電装置は二次電池である。
【符号の説明】
【００４８】
１０…蓄電装置としての二次電池、１２…電極組立体、２０…第１の電極としての正極電極、２１…第２の電極としての負極電極、２１ａ…第１縁部、２１ｂ…第２縁部、２１ｃ…第３縁部、２１ｄ…第４縁部、２２…集電体としての正極金属箔、２３…活物質層としての正極活物質層、２４…タブとしての正極タブ、２５…集電体としての負極金属箔、２６…活物質層としての負極活物質層、２７…タブとしての負極タブ、２８…未塗工部、２９…境界部、４０…絶縁シートとしての絶縁フィルム、Ｘ１…厚さ方向、Ｙ…面方向、Ｙ１…第１方向、Ｙ２…第２方向。
【図１】
2018170243.tif 000003
【図２】
2018170243.tif 000004
【図３】
2018170243.tif 000005
【図４】
2018170243.tif 000006